(57)【要約】【課題】  本発明は、商品を実際に設置したときの状態を把握することのできる見本提示具を提供する。【解決手段】商品に関する見本画像が配置された台紙を含む見本帳と、見本画像を立体的に視認させる立体画像観賞具とを備え、台紙は、複数の位置決部を有し、台紙の見本画像には、少なくとも異なる状態の商品を表示した複数対の視差画像であって、複数の位置決部に対応して配置された複数対の視差画像が含まれ、立体画像観賞具は、観賞者が接眼する一対の覗き部を有する第一部位と、第一部位に対して間隔をあけて配置される第二部位と、第一部位と第二部位とを所定の間隔で維持させる第三部位と、単一の位置決部に対して係合可能な被位置決部とを有し、一対の覗き部は、被位置決部を単一の位置決部と係合させた状態で、一対の視差画像と対応するように間隔をあけて配置される。【選択図】図１
2018205488.tif 000002
【特許請求の範囲】
【請求項１】
第一方向に第一面及び該第一面の反対側の第二面を有し且つ第一面及び第二面の少なくとも何れか一方に商品に関する見本画像が配置された台紙を含む見本帳と、
見本画像を立体的に視認させる立体画像観賞具とを備え、
台紙は、第一方向と直交する第二方向に間隔をあけて配置された複数の位置決部を有し、
台紙の見本画像には、少なくとも異なる状態の商品を表示した複数対の視差画像であって、複数の位置決部に対応して配置された複数対の視差画像が含まれ、
立体画像観賞具は、観賞者が接眼する一対の覗き部を有する第一部位と、第一部位に対して間隔をあけて配置される第二部位であって、複数対の視差画像のうちの一対の視差画像を躱した状態で台紙上に配置される第二部位と、第一部位の端部と第二部位との端部とを接続し、第一部位と第二部位とを所定の間隔で維持させる第三部位と、第二部位が台紙上に配置された状態で、単一の位置決部に対して係合可能な被位置決部とを有し、
一対の覗き部は、被位置決部を単一の位置決部と係合させた状態で、該単一の位置決部と対応する一対の視差画像と対応するように間隔をあけて配置されることを特徴とする見本提示具。
【請求項２】
台紙は、自身の端部に複数の位置決部を有し、
複数の位置決部は、第一方向及び第二方向と直交する第三方向で外側に向けて開放した凹部及び第三方向で外側に向けて突出した凸部の少なくとも何れか一方を含み、
被位置決部は、位置決部の凹部に嵌合可能な凸部及び位置決部の凸部に嵌合可能な凹部の少なくとも何れか一方を含んでいる請求項１に記載の見本提示具。
【請求項３】
第二部位は、複数対の視差画像のうちの一対の視差画像を包囲可能な枠状に形成されている請求項１又は２に記載の見本提示具。
【発明の詳細な説明】
【技術分野】
【０００１】
本発明は、商品に関する見本を提示するための見本提示具に関する。
【背景技術】
【０００２】
従来から、シート状或いはプレート状の商品（例えば、カーテンの生地や、壁紙、タイル等の壁材等）の柄や色彩を顧客に提示するための見本帳が提供されている（例えば、特許文献１参照）。かかる見本帳は、商品の見本を含む複数の台紙と、該複数の台紙を綴じる綴じ具とを備える。
【０００３】
複数の台紙のそれぞれには、商品の見本として、実際の商品の一部を小片に切り出したサンプル部材が貼り付けられたり、商品の色や柄等の画像が印刷されたりしている。これにより、顧客は、見本帳の台紙に設けられた見本を参考に、商品を選択する。
【０００４】
ところで、従来の見本帳の見本は、平面的（二次元的）であるため、選択した商品を実際に設置したときの状態（周囲の環境の影響（例えば、光や風等の影響）を受けた状態）を把握し難いといった問題がある。
【先行技術文献】
【特許文献】
【０００５】
【特許文献１】特開２００３-２２０２５号公報
【発明の概要】
【発明が解決しようとする課題】
【０００６】
そこで、本発明は、商品を実際に設置したときの状態を把握することのできる見本提示具を提供することを課題とする。
【課題を解決するための手段】
【０００７】
本発明に係る見本提示具は、第一方向に第一面及び該第一面の反対側の第二面を有し且つ第一面及び第二面の少なくとも何れか一方に商品に関する見本画像が配置された台紙を含む見本帳と、見本画像を立体的に視認させる立体画像観賞具とを備え、台紙は、第一方向と直交する第二方向に間隔をあけて配置された複数の位置決部を有し、台紙の見本画像には、少なくとも異なる状態の商品を表示した複数対の視差画像であって、複数の位置決部に対応して配置された複数対の視差画像が含まれ、立体画像観賞具は、観賞者が接眼する一対の覗き部を有する第一部位と、第一部位に対して間隔をあけて配置される第二部位であって、複数対の視差画像のうちの一対の視差画像を躱した状態で台紙上に配置される第二部位と、第一部位の端部と第二部位との端部とを接続し、第一部位と第二部位とを所定の間隔で維持させる第三部位と、第二部位が台紙上に配置された状態で、単一の位置決部に対して係合可能な被位置決部とを有し、一対の覗き部は、被位置決部を単一の位置決部と係合させた状態で、該単一の位置決部と対応する一対の視差画像と対応するように間隔をあけて配置されることを特徴とする。
【０００８】
上記構成によれば、立体画像観賞具の第二部位を見本帳の台紙上に配置した状態で、立体画像観賞具の被位置決部を台紙にある複数の位置決部の何れかに係合させることで、第一部位にある一対の覗き部が複数対の視差画像のうちの何れかの一対の視差画像を対応した配置になるため、観賞者が一対の覗き部に接眼することによって、一対の視差画像を単一の立体画像として視認できる。そして、被位置決部を係合させる位置決部を変更することで、先の場合と同じく、異なる状態を表示した視差画像を立体画像として視認できる。
【０００９】
本発明の一態様として、台紙は、自身の端部に複数の位置決部を有し、複数の位置決部は、第一方向及び第二方向と直交する第三方向で外側に向けて開放した凹部及び第三方向で外側に向けて突出した凸部の少なくとも何れか一方を含み、被位置決部は、位置決部の凹部に嵌合可能な凸部及び位置決部の凸部に嵌合可能な凹部の少なくとも何れか一方を含んでもよい。
【００１０】
このようにすれば、位置決部に対して被位置決部を凹凸嵌合させるだけで、立体画像観賞具を台紙（視差画像）に対して適正に位置決めできる。
【００１１】
本発明の他態様として、第二部位は、複数対の視差画像のうちの一対の視差画像を包囲可能な枠状に形成されてもよい。
【００１２】
このようにすれば、観賞者が第一部位の一対の覗き部に接眼した状態において、該配置に対応した一対の視差画像以外の画像等（一対の視差画像周辺の画像等）が第二部位によって遮られる。よって、対象とする一対の視差画像のみを視認でき、適正な状態で一対の視差画像を立体画像として視認できる。
【発明の効果】
【００１３】
本発明の見本提示具によれば、商品を実際に設置したときの状態を把握することができるという優れた効果を奏し得る。
【図面の簡単な説明】
【００１４】
【図１】図１は、本発明の一実施形態に係る見本提示具の全体斜視図である。
【図２】図２は、同実施形態に係る見本提示具の見本帳の台紙を第一面側から見た図である。
【図３】図３は、同実施形態に係る見本提示具の見本帳の台紙を第二面側から見た図である。
【図４】図４は、同実施形態に係る見本提示具の見本帳の台紙の部分拡大図であって、位置決部の周辺の部分拡大図である。
【図５】図５は、同実施形態に係る見本提示具の立体画像観賞具の斜視図である。
【図６】図６は、同実施形態に係る見本提示具の立体画像観賞具の部分拡大図であって、被位置決部及びその周辺の部分拡大図である。
【図７】図７は、同実施形態に係る見本提示具の立体画像観賞具の部分拡大断面図であって、被位置決部及びその周辺の部分拡大断面図である。
【図８】図８は、同実施形態に係る見本提示具の立体画像観賞具の横断面図を含む図であって、見本帳の台紙の第一面上に立体画像観賞具を配置した状態（一対の視差画像を立体画像として見るときの状態）の図である。
【図９】図９は、同実施形態に係る見本提示具の立体画像観賞具の縦断面図を含む図であって、見本帳の台紙の第一面上に立体画像観賞具を配置した状態（一対の視差画像を立体画像として見るときの状態）の図である。
【図１０】図１０は、同実施形態に係る見本提示具の立体画像観賞具の横断面図を含む図であって、見本帳の台紙の第二面上に立体画像観賞具を配置した状態（一対の視差画像を立体画像として見るときの状態）の図である。
【図１１】図１１は、同実施形態に係る見本提示具の立体画像観賞具の縦断面図を含む図であって、見本帳の台紙の第二面上に立体画像観賞具を配置した状態（一対の視差画像を立体画像として見るときの状態）の図である。
【発明を実施するための形態】
【００１５】
以下、本発明の一実施形態について、添付図面を参照しつつ説明する。
【００１６】
図１に示す如く、見本提示具１は、見本画像Ｐ（図２及び図３参照）の配置された台紙２０を含む見本帳２と、見本画像Ｐを立体的な画像で視認させる立体画像観賞具３とを備える。
【００１７】
見本帳２は、複数の台紙２０…を含む。本実施形態において、見本帳２は、複数の台紙２０…を挟む表紙体２１を含む。
【００１８】
図２及び図３に示す如く、台紙２０は、第一方向に第一面Ｓ１（図２参照）と、該第一面Ｓ１の反対側の第二面Ｓ２（図３参照）とを有する。本実施形態において、台紙２０は、厚紙で構成される。これに伴い、台紙２０は、厚み方向に第一面Ｓ１及び第二面Ｓ２を有する。複数の台紙２０…のそれぞれの第一方向から見た外形及びサイズは、同一又は略同一である。
【００１９】
台紙２０の第一面Ｓ１及び第二面Ｓ２の少なくとも何れか一方には、商品に関する見本画像Ｐが配置されている。本実施形態において、台紙２０の第一面Ｓ１及び第二面Ｓ２のそれぞれに見本画像Ｐが配置されている。台紙２０は、第一方向と直交する第二方向に間隔をあけて配置された複数の位置決部２００…を有する。
【００２０】
台紙２０は、外周全周に端部を有する。より具体的に説明すると、台紙２０は、外縁Ｅ１，Ｅ２を有する。台紙２０の平面形状は、四角形状である。これに伴い、台紙２０の外縁Ｅ１，Ｅ２は、第一方向と直交する第二方向に直線状に延びる二つの第一エッジＥ１，Ｅ１と、第一方向及び第二方向と直交する第三方向に直線状に延びる二つの第二エッジＥ２，Ｅ２であって、二つの第一エッジＥ１，Ｅ１に繋がる一対の第二エッジＥ２とを含む。これにより、台紙２０の外周全周にある端部は、第三方向に幅を有し且つ第二方向に延びる端部であって、第二方向に延びる第一エッジＥ１を第三方向における境界（終端）とする端部と、第二方向に幅を有し且つ第三方向に延びる端部であって、第三方向に延びる第二エッジＥ２を第二方向における境界（終端）とする端部とを含む。
【００２１】
本実施形態において、複数の台紙２０のそれぞれの一方の第一エッジＥ１を境界とする端部は、表紙体２１とともに一括して綴じられている（図１参照）。
【００２２】
複数の位置決部２００…は、台紙２０の端部に配置される。本実施形態において、複数の位置決部２００…は、一方の第一エッジＥ１を境界とする端部と異なる端部に配置される。本実施形態において、複数の位置決部２００…は、他方の第一エッジＥ１を境界とする端部に設けられる。
【００２３】
複数の位置決部２００…は、上述の如く、第二方向に間隔をあけて配置される。すなわち、複数の位置決部２００…は、第一エッジＥ１の延びる方向に間隔をあけて配置される。
【００２４】
複数の位置決部２００…のそれぞれは、第三方向で外側に向けて開放した凹部及び第三方向で外側に向けて突出した凸部の少なくとも何れか一方を含む。本実施形態において、複数の位置決部２００…のそれぞれは、第三方向で外側に向けて開放した凹部のみを含む。すなわち、複数の位置決部２００…のそれぞれは、単一の凹部により構成される。本実施形態において、複数の位置決部（凹部）２００…のそれぞれは、第一エッジＥ１で外側に向けて開放している。
【００２５】
より具体的に説明すると、本実施形態において、位置決部２００（凹部）…を画定するエッジは、図４に示す如く、他方の第一エッジＥ１に繋がる一対の傾斜エッジＥ１ａ，Ｅ１ａであって、台紙２０の内側の領域（一方の第一エッジＥ１）側から他方の第一エッジＥ１に向けて間隔が広がる一対の傾斜エッジＥ１ａ，Ｅ１ａを含む。
【００２６】
本実施形態において、位置決部（凹部）２００…は、互いの一端同士が接続された一対の傾斜エッジＥ１ａ，Ｅ１ａであって、それぞれの他端が他方の第一エッジＥ１上に位置し且つ他端側ほど相互の間隔が広がる一対の傾斜エッジＥ１ａ，Ｅ１ａによって画定される。これにより、本実施形態において、位置決部（凹部）２００…は、第一方向から見て三角形状に形成される。
【００２７】
図２及び図３に戻り、複数の位置決部（凹部）２００…のそれぞれの第一方向から見た形状及びサイズは、同一又は略同一である。本実施形態の位置決部（凹部）２００…において、自身の中心を通る仮想線であって、第一エッジＥ１と直交する方向（第三方向）に延びる仮想線を境にした領域のそれぞれが、該仮想線を基準に対称形状である。
【００２８】
第一面Ｓ１及び第二面Ｓ２のそれぞれにおける見本画像Ｐには、少なくとも異なる状態を表示した複数対の視差画像Ｐ１，Ｐ２，Ｐ３，Ｐ４，Ｐ５，Ｐ６が含まれる。
【００２９】
すなわち、台紙２０は、見本画像Ｐとして、一対の視差画像Ｐ１，Ｐ２，Ｐ３，Ｐ４，Ｐ５，Ｐ６を複数組（複数対）有する。一対の視差画像Ｐ１，Ｐ２，Ｐ３，Ｐ４，Ｐ５，Ｐ６のうちの一方の視差画像Ｐ１，Ｐ２，Ｐ３，Ｐ４，Ｐ５，Ｐ６は、観賞者の右目用の画像であり、一対の視差画像Ｐ１，Ｐ２，Ｐ３，Ｐ４，Ｐ５，Ｐ６のうちの他方の視差画像Ｐ１，Ｐ２，Ｐ３，Ｐ４，Ｐ５，Ｐ６は、観賞者の左目用の画像である。一対の視差画像Ｐ１，Ｐ２，Ｐ３，Ｐ４，Ｐ５，Ｐ６のそれぞれは、写真や絵画で構成される。
【００３０】
一対の視差画像Ｐ１，Ｐ２，Ｐ３，Ｐ４，Ｐ５，Ｐ６は、組毎に、異なる状態（明暗を異にした状態、情景を異にした状態、動きを異にした状態等）の商品の画像である。例えば、見本（商品）がカーテンの生地である場合、明暗を異にした状態の画像として、一組（一対）の視差画像Ｐ１は、朝日の当たる環境で撮影した商品の画像とされ、他の一組（一対）の視差画像Ｐ２は、日中の日の当たる環境で撮影された商品の画像とされ、さらに他の一組（一対）の視差画像Ｐ３は、夜間の日の当たらない環境で撮影した画像とされる。また、見本（商品）がカーテンの生地である場合、動きを異にした状態の画像として、一組（一対）の視差画像Ｐ４は、そよ風になびく商品の画像とされ、他の一組（一対）の視差画像Ｐ５は、静止状態の商品の画像とされる。
【００３１】
一対の視差画像Ｐ１，Ｐ２，Ｐ３，Ｐ４，Ｐ５，Ｐ６のそれぞれは、台紙２０に直接印刷されたり、別のシートに印刷されて該シートが台紙２０に貼り付けられたりすることで、台紙２０の第一面Ｓ１及び第二面Ｓ２に配置される。
【００３２】
複数対の視差画像Ｐ１，Ｐ２，Ｐ３，Ｐ４，Ｐ５，Ｐ６は、複数の位置決部２００…の配置に対応して配置される。すなわち、一対（一組）の視差画像Ｐ１，Ｐ２，Ｐ３，Ｐ４，Ｐ５，Ｐ６は、何れか一つの位置決部２００と対応して配置される。複数対の視差画像Ｐ１，Ｐ２，Ｐ３，Ｐ４，Ｐ５，Ｐ６は、複数の位置決部２００…と対応するように、第二方向に間隔をあけて配置される。すなわち、複数対の視差画像Ｐ１，Ｐ２，Ｐ３，Ｐ４，Ｐ５，Ｐ６は、第一エッジＥ１の延びる方向に間隔をあけて配置され、他方の第一エッジＥ１を境界とする端部に配置された複数の位置決部２００…と対応して配置される。
【００３３】
一対の視差画像Ｐ１，Ｐ２，Ｐ３，Ｐ４，Ｐ５，Ｐ６は、所定の方向に間隔をあけて配置される。一対の視差画像Ｐ１，Ｐ２，Ｐ３，Ｐ４，Ｐ５，Ｐ６同士の間隔をあける方向は、異なる組（対）における一対の視差画像Ｐ１，Ｐ２，Ｐ３，Ｐ４，Ｐ５，Ｐ６同士の間隔をあける方向と同方向に設定される。本実施形態では、複数組（対）のそれぞれにおいて、一対の視差画像Ｐ１，Ｐ２，Ｐ３，Ｐ４，Ｐ５，Ｐ６は、第三方向に間隔をあけて配置される。
【００３４】
第一面Ｓ１上にある一対の視差画像Ｐ１，Ｐ２，Ｐ３，Ｐ４，Ｐ５，Ｐ６同士の間隔は、第二面Ｓ２上にある一対の視差画像Ｐ１，Ｐ２，Ｐ３，Ｐ４，Ｐ５，Ｐ６同士の間隔と同一又は略同一に設定される。
【００３５】
また、第一面Ｓ１上にある一対の視差画像Ｐ１，Ｐ２，Ｐ３のうちの他方の第一エッジＥ１側にある一方の視差画像Ｐ１，Ｐ２，Ｐ３から該他方の第一エッジＥ１までの距離と、第二面Ｓ２上にある一対の視差画像Ｐ４，Ｐ５，Ｐ６のうちの他方の第一エッジＥ１側にある一方の視差画像Ｐ４，Ｐ５，Ｐ６から該他方の第一エッジＥ１までの距離とは、同一又は略同一に設定される。すなわち、第一面Ｓ１上にある複数対の視差画像Ｐ１，Ｐ２，Ｐ３は、第二面Ｓ２上にある複数対の視差画像Ｐ４，Ｐ５，Ｐ６と第一方向（台紙２０の厚み方向）で重複する位置関係になっている。
【００３６】
なお、ここでは特に言及しないが、第一面Ｓ１及び第二面Ｓ２にある見本画像Ｐには、上記視差画像Ｐ１，Ｐ２，Ｐ３，Ｐ４，Ｐ５，Ｐ６の他に、二次元的に表現した独立した写真や絵画等が含まれる。この種の見本画像Ｐは、複数対の視差画像Ｐ１，Ｐ２，Ｐ３，Ｐ４，Ｐ５，Ｐ６の配置を避けて、適宜レイアウトされる。
【００３７】
図５に示す如く、立体画像観賞具３は、観賞者が接眼する一対の覗き部３００，３００を有する第一部位３０と、第一部位３０に対して間隔をあけて配置される第二部位３１であって、複数対の視差画像Ｐ１，Ｐ２，Ｐ３，Ｐ４，Ｐ５，Ｐ６のうちの一対の視差画像Ｐ１，Ｐ２，Ｐ３，Ｐ４，Ｐ５，Ｐ６を躱した状態で台紙２０上に配置される第二部位３１と、第一部位３０の端部と第二部位３１との端部とを接続し、第一部位３０と第二部位３１とを所定の間隔で維持させる第三部位３２と、第二部位３１が台紙２０上に配置された状態で、単一の位置決部２００…に対して係合可能な被位置決部３３とを有する。
【００３８】
第一部位３０は、平面視長方形状に形成される。一対の覗き部３００，３００は、被位置決部３３を単一の位置決部２００と係合させた状態で、該単一の位置決部２００と対応する一対の視差画像Ｐ１，Ｐ２，Ｐ３，Ｐ４，Ｐ５，Ｐ６に対応するように間隔をあけて配置される。本実施形態において、一対の覗き部３００，３００は、第一部位３０の長手方向に間隔をあけて配置される。一対の覗き部３００，３００のそれぞれは、単なる貫通穴で構成されてもよいし、貫通穴にレンズを配置したものであってもよい。本実施形態において、一対の覗き部３００，３００は、第一部位３０に設けられた貫通穴にレンズを配置することで構成される。
【００３９】
第二部位３１は、一対の視差画像Ｐ１，Ｐ２，Ｐ３，Ｐ４，Ｐ５，Ｐ６を包囲可能な枠状に形成される。本実施形態において、第二部位３１は、四角形状の領域を包囲する。より具体的には、第二部位３１の外形は、第一部位３０の外形と同形且つ同サイズである。従って、第二部位３１の外形も第一部位３０の外形に対応して長方形状である。
【００４０】
これに伴い、本実施形態に係る第二部位３１は、長方形状の領域を包囲する。すなわち、第二部位３１の内周縁は、第一部位３０における一対の覗き部３００，３００の並ぶ方向と同方向に延びる一対の第一内周エッジＩＥ１，ＩＥ１と、それぞれが第一内周エッジＩＥ１の延びる方向と直交する方向に延び且つ第一内周エッジＩＥ１よりも短い一対の第二内周エッジＩＥ２，ＩＥ２であって、一対の第一内周エッジＩＥ１，ＩＥ１に繋がる一対の第二内周エッジＩＥ２，ＩＥ２とによって構成される。
【００４１】
少なくとも第二部位３１の外面は、平面状に形成される。すなわち、立体画像観賞具３の底面になる第二部位３１の外面は、平面状に形成される。
【００４２】
本実施形態に係る立体画像観賞具３は、一対の第三部位３２，３２を有する。一対の第三部位３２，３２のそれぞれは、長方形状に形成される。一対の第三部位３２，３２のそれぞれにおける長手方向の長さは、第一部位３０及び第二部位３１の長手方向の長さと同一、又は略同一に設定される。一対の第三部位３２，３２のうちの一方の第三部位３２は、第一部位３０及び第二部位３１の短手方向の一端同士を接続し、一対の第三部位３２，３２のうちの他方の第三部位３２は、第一部位３０及び第二部位３１の短手方向の他端同士を接続している。
【００４３】
すなわち、一方の第三部位３２の短手方向の一端は、第一部位３０の短手方向の一端に接続され、一方の第三部位３２の短手方向の他端は、第二部位３１の短手方向の一端に接続される。これに対し、他方の第三部位３２の短手方向の一端は、第一部位３０の短手方向の他端に接続され、他方の第三部位３２の短手方向の他端は、第二部位３１の短手方向の他端に接続される。
【００４４】
これにより、第一部位３０、第二部位３１、及び一対の第三部位３２，３２は、長手方向から見て角環状になっている。一対の第三部位３２，３２のそれぞれの短手方向の長さは、第一部位３０における一対の覗き部３００，３００の焦点距離に応じて設定される。
【００４５】
なお、本実施形態において、第一部位３０、第二部位３１、及び一対の第三部位３２，３２のそれぞれは、紙材により構成されている。すなわち、一枚の紙材を折り曲げ加工することで、第一部位３０、第二部位３１、及び一対の第三部位３２，３２が上記態様で配置される。
【００４６】
被位置決部３３は、位置決部２００…の凹部に嵌合可能な凸部及び位置決部２００…の凸部に嵌合可能な凹部の少なくとも何れか一方を含む。本実施形態において、複数の位置決部２００…のそれぞれが外側に向けて開放した凹部のみを含むに伴い、図６に示す如く、被位置決部３３は、位置決部２００…の凹部に嵌合可能な凸部のみを含む。
【００４７】
被位置決部３３は、図７に示す如く、厚みを有する片状に形成され、その厚み方向において、第一面Ｓａ１と第一面Ｓａ１の反対側の第二面Ｓａ２とを有する。被位置決部３３の第一面Ｓａ１は、第二部位３１の外面上或いは第二部位３１の外面に沿った仮想面上に配置される。
【００４８】
従って、被位置決部３３は、第二部位３１の厚み方向において該第二部位３１の外面よりも外側に位置する。被位置決部３３は、単一の台紙２０の厚み以上に設定される。本実施形態において、被位置決部３３の厚みは、単一の台紙２０の厚みと同一又は略同一の厚みに設定される。
【００４９】
本実施形態において、被位置決部３３は、枠状をなす第二部位３１の内周縁から第二部位３１の包囲する領域に突出した態様で配置される。すなわち、被位置決部３３には糊代３４が連設されており、その糊代３４が第二部位３１の外面に貼り合わされることで、第二部位３１の包囲する領域に位置している。
【００５０】
図６に戻り、被位置決部３３の平面形状（第二部位３１の厚み方向から見た形状）は、台紙２０の位置決部２００…の第一方向から見た形状に対応している。本実施形態において、位置決部２００…が三角形状に設定されるため、被位置決部３３も、三角形状に設定される。すなわち、被位置決部３３の外形は、位置決部２００を画定する一対の傾斜エッジＥ１ａ，Ｅ１ａ（図４参照）と対応する一対の傾斜エッジＥ２ａ，Ｅ２ａによって画定されている。本実施形態の被位置決部３３において、自身の中心を通る仮想線であって、第二部位３１の内周縁（第二内周エッジＩＥ２）と直交する方向に延びる仮想線を境にした両側の領域のそれぞれが、該仮想線を基準に対称形状である。
【００５１】
本実施形態に係る見本提示具１は、以上の通りであり、見本帳２における台紙２０の第一面Ｓ１又は第二面Ｓ２上に立体画像観賞具３を配置することで、実際に商品を設置したときの状態を把握することができる。
【００５２】
具体的には、図８〜図１１に示す如く、見本帳２における台紙２０の第一面Ｓ１又は第二面Ｓ２に立体画像観賞具３の底面（第二部位３１の外面）を重ね合わせ、何れかの位置決部２００…に立体画像観賞具３の被位置決部３３を嵌合（係合）させる。この状態で、被位置決部３３と嵌合（係合）する単一の位置決部２００…と対応する一対の視差画像Ｐ１，Ｐ２，Ｐ３，Ｐ４，Ｐ５，Ｐ６が立体画像観賞具３の一対の覗き部３００，３３０と対応した配置になる。
【００５３】
本実施形態において、位置決部２００…に被位置決部３３を嵌合させる際、位置決部２００…を画定する一対の傾斜エッジＥ１ａ，Ｅ１ａに被位置決部３３の外形を画定する一対の傾斜エッジＥ２ａ，Ｅ２ａが沿うことになる（図８、図１０参照）。これにより、第一部位３０の一対の覗き部３００，３００と第二部位３１の包囲された領域内に位置する一対の視差画像Ｐ１，Ｐ２，Ｐ３，Ｐ４，Ｐ５，Ｐ６とが互いに対向した状態で、立体画像観賞具３が見本帳２（台紙２０）に対して位置決めされる。
【００５４】
そして、一対の第三部位３２，３２のそれぞれの短手方向の長さが、覗き部３００，３００の焦点距離と対応しているため、第一部位３０の一対の覗き部３００，３００から台紙２０上の一対の視差画像Ｐ１，Ｐ２，Ｐ３，Ｐ４，Ｐ５，Ｐ６までの距離が、覗き部３００，３００の焦点距離と一致又は略一致した状態になる。
【００５５】
従って、観賞者は、一対の覗き部３００，３００に接眼すること（一対の視差画像Ｐ１，Ｐ２，Ｐ３，Ｐ４，Ｐ５，Ｐ６を平行視或いは交差視すること）で、一対の視差画像Ｐ１，Ｐ２，Ｐ３，Ｐ４，Ｐ５，Ｐ６を立体的な画像として視認できる。そして、見本帳２における台紙２０の第一面Ｓ１又は第二面Ｓ２に立体画像観賞具３の底面（第二部位３１の外面）を重ね合わせ、他の位置決部２００…に立体画像観賞具３の被位置決部３３を嵌合（係合）させることで、上記の場合と同様に、一対の視差画像Ｐ１，Ｐ２，Ｐ３，Ｐ４，Ｐ５，Ｐ６を立体的な画像として視認できる。従って、観賞者は、商品を実際に設置したときの状態を把握することができる。
【００５６】
本実施形態の位置決部（凹部）２００…において、自身の中心を通る仮想線であって、第一エッジＥ１と直交する方向に延びる仮想線を境にした領域のそれぞれが、該仮想線を基準に対称形状であり、本実施形態の被位置決部３３において、自身の中心を通る仮想線であって、第二部位３１の内周縁（第二内周エッジＩＥ２）と直交する方向に延びる仮想線を境にした両側の領域のそれぞれが、該仮想線を基準に対称形状である。
【００５７】
そのため、台紙２０をめくって視認する画像を変える場合（視認する見本画像Ｐを第一面Ｓ１上の見本画像Ｐから第二面Ｓ２上の見本画像Ｐに変更する場合、或いは、視認する見本画像Ｐを第二面Ｓ２上の見本画像Ｐから第一面Ｓ１上の見本画像Ｐに変更する場合）、台紙２０をめくることで、位置決部２００…の位置が反転される（図８、図１０参照）。
【００５８】
これに伴い、立体画像観賞具３を第一部位３０と第二部位３１とが並ぶ方向に延びる仮想線を中心に１８０°反転させる。これにより、被位置決部３３の位置が変更されるため、異なる面上に立体画像観賞具３の第二部位３１の外面を重ね合わせた状態においても被位置決部３３を複数の位置決部２００…の何れかに対して嵌合させることができる。
【００５９】
従って、この場合においても、見本帳２における台紙２０の第一面Ｓ１又は第二面Ｓ２に立体画像観賞具３の底面（第二部位３１の外面）を重ね合わせ、何れかの位置決部２００…に立体画像観賞具３の被位置決部３３を嵌合させることで、上記の場合と同様に、一対の視差画像Ｐ１，Ｐ２，Ｐ３，Ｐ４，Ｐ５，Ｐ６を立体的な画像として視認できる。従って、本実施形態に係る見本提示具１は、単一の立体画像観賞具３で、台紙２０の裏表（第一面Ｓ１及び第二面Ｓ２）の見本画像Ｐ（視差画像Ｐ１，Ｐ２，Ｐ３，Ｐ４，Ｐ５，Ｐ６）を基に実際に商品を設置したときの状態を把握することができる。
【００６０】
以上のように、本実施形態に係る見本提示具１は、第一方向に第一面Ｓ１及び該第一面Ｓ１の反対側の第二面Ｓ２を有し且つ第一面Ｓ１及び第二面Ｓ２の少なくとも何れか一方に商品に関する見本画像Ｐが配置された台紙２０を含む見本帳２と、見本画像Ｐを立体的に視認させる立体画像観賞具３とを備え、台紙２０は、第一方向と直交する第二方向に間隔をあけて配置された複数の位置決部２００…を有し、台紙２０の見本画像Ｐには、少なくとも異なる状態の商品を表示した複数対の視差画像Ｐ１，Ｐ２，Ｐ３，Ｐ４，Ｐ５，Ｐ６であって、複数の位置決部２００…に対応して配置された複数対の視差画像Ｐ１，Ｐ２，Ｐ３，Ｐ４，Ｐ５，Ｐ６が含まれ、立体画像観賞具３は、観賞者が接眼する一対の覗き部３００，３００を有する第一部位３０と、第一部位３０に対して間隔をあけて配置される第二部位３１であって、複数対の視差画像Ｐ１，Ｐ２，Ｐ３，Ｐ４，Ｐ５，Ｐ６のうちの一対の視差画像Ｐ１，Ｐ２，Ｐ３，Ｐ４，Ｐ５，Ｐ６を躱した状態で台紙２０上に配置される第二部位３１と、第一部位３０の端部と第二部位３１との端部とを接続し、第一部位３０と第二部位３１とを所定の間隔で維持させる第三部位３２と、第二部位３１が台紙２０上に配置された状態で、単一の位置決部２００に対して係合可能な被位置決部３３とを有し、一対の覗き部３００，３００は、被位置決部３３を単一の位置決部２００と係合させた状態で、該単一の位置決部２００と対応する一対の視差画像Ｐ１，Ｐ２，Ｐ３，Ｐ４，Ｐ５，Ｐ６と対応するように間隔をあけて配置される。
【００６１】
上記構成によれば、立体画像観賞具３の第二部位３１を見本帳２の台紙２０上に配置した状態で、立体画像観賞具３の被位置決部３３を台紙２０にある複数の位置決部２００…の何れかに係合させることで、第一部位３０にある一対の覗き部３００，３００が複数対の視差画像Ｐ１，Ｐ２，Ｐ３，Ｐ４，Ｐ５，Ｐ６のうちの何れかの一対の視差画像Ｐ１，Ｐ２，Ｐ３，Ｐ４，Ｐ５，Ｐ６を対応した配置になるため、観賞者が一対の覗き部３００，３００に接眼することによって、一対の視差画像Ｐ１，Ｐ２，Ｐ３，Ｐ４，Ｐ５，Ｐ６を単一の立体画像として視認できる。そして、被位置決部３３を係合させる位置決部２００…を変更することで、先の場合と同じく、異なる状態を表示した視差画像Ｐ１，Ｐ２，Ｐ３，Ｐ４，Ｐ５，Ｐ６を立体画像として視認できる。
【００６２】
従って、本実施形態の見本提示具１によれば、実際に商品を設置したときの状態を把握することができるという優れた効果を奏し得る。
【００６３】
本実施形態において、台紙２０は、自身の端部に複数の位置決部２００…を有し、複数の位置決部２００…は、第一方向及び第二方向と直交する第三方向で外側に向けて開放した凹部を含み、被位置決部３３は、位置決部の凹部に嵌合可能な凸部を含んでいるため、位置決部２００に対して被位置決部３３を凹凸嵌合させるだけで、立体画像観賞具３を台紙２０（視差画像Ｐ１，Ｐ２，Ｐ３，Ｐ４，Ｐ５，Ｐ６）に対して適正に位置決めできる。
【００６４】
また、第二部位３１は、複数対の視差画像Ｐ１，Ｐ２，Ｐ３，Ｐ４，Ｐ５，Ｐ６のうちの一対の視差画像Ｐ１，Ｐ２，Ｐ３，Ｐ４，Ｐ５，Ｐ６を包囲可能な枠状に形成されているため、観賞者が第一部位３０の一対の覗き部３００，３００に接眼した状態において、該配置に対応した一対の視差画像Ｐ１，Ｐ２，Ｐ３，Ｐ４，Ｐ５，Ｐ６以外の画像等（一対の視差画像Ｐ１，Ｐ２，Ｐ３，Ｐ４，Ｐ５，Ｐ６周辺の画像等）が第二部位３１によって遮られる。よって、対象とする一対の視差画像Ｐ１，Ｐ２，Ｐ３，Ｐ４，Ｐ５，Ｐ６のみを視認でき、適正な状態で一対の視差画像Ｐ１，Ｐ２，Ｐ３，Ｐ４，Ｐ５，Ｐ６を立体画像として視認できる。
【００６５】
なお、本発明は、上記実施形態に限定されるものではなく、本発明の要旨を逸脱しない範囲で、適宜変更を加え得ることは勿論である。
【００６６】
上記実施形態において、複数の位置決部２００…のそれぞれが凹部で構成されるとともに、被位置決部３３が位置決部２００…に嵌合可能な凸部で構成されたが、これに限定されない。例えば、複数の位置決部２００…のそれぞれが凸部で構成されるとともに、被位置決部３３が位置決部２００…に嵌合可能な凹部で構成されてもよい。
【００６７】
また、上記実施形態において、複数の位置決部２００…のそれぞれが単一の凹部で構成されるとともに、被位置決部３３が位置決部２００…に嵌合可能な単一の凸部で構成されたが、これに限定されない。複数の位置決部２００…のそれぞれが凸部と凹部との組み合わせで構成されるとともに、被位置決部３３が位置決部２００…に嵌合可能な凹部と凸部との組み合わせで構成されてもよい。また、位置決部２００…及び被位置決部３３は、凸部及び凹部の少なくとも何れか一方で構成されたものに限定されない。例えば、位置決部２００…が、凸部及び凹部の少なくとも何れか一方と台紙２０の第一エッジＥ１とを含み、被位置決部３３は、位置決部２００…の凸部及び凹部の少なくとも何れか一方と嵌合可能な凸部及び凹部の少なくとも何れか他方と、第一エッジＥ１と線接触又は面接触可能な直線状の直線部とを含んでもよい。
【００６８】
さらに、位置決部２００は、第三方向で外側に向けて開放した凹部や第三方向で外側に突出した凸部に限定されない。例えば、位置決部２００は、第一方向に貫通した貫通穴であってもよい。この場合、被位置決部３３は、第二部位３１の外面（立体画像観賞具３の底面）に対して直交する方向に突出した凸部であって、位置決部（貫通穴）２００に対して挿入可能に該位置決部２００と対応した断面形状の凸部にされればよい。この場合、単一の位置決部２００が複数の貫通穴で構成されるとともに、被位置決部３３が複数の凸部で構成されれば、位置決部２００及び被位置決部３３の形状に関係なく、立体画像観賞具３を一対の視差画像Ｐ１，Ｐ２，Ｐ３，Ｐ４，Ｐ５，Ｐ６に対して安定して位置決めできる。また、単一の位置決部２００が単一の貫通穴で構成される場合、位置決部２００及び被位置決部３３は多角形状に形成されることで、立体画像観賞具３を一対の視差画像Ｐ１，Ｐ２，Ｐ３，Ｐ４，Ｐ５，Ｐ６に対して安定して位置決めできる。
【００６９】
上記実施形態において、各組における一対の視差画像Ｐ１，Ｐ２，Ｐ３，Ｐ４，Ｐ５，Ｐ６が、第一エッジＥ１と直交する方向（第三方向）に間隔をあけて並んだが、これに限定されない。例えば、各組における一対の視差画像Ｐ１，Ｐ２，Ｐ３，Ｐ４，Ｐ５，Ｐ６は、第一エッジＥ１の延びる方向（第二方向）に間隔をあけて配置されてもよいし、第一エッジＥ１と交差する方向（第二方向と第三方向との合成方向）に間隔をあけて配置されてもよい。この場合、立体画像観賞具３において、一対の覗き部３００，３００は、位置決部２００…に被位置決部３３が係合した状態（立体画像観賞具３が位置決めされた状態で、各組における一対の視差画像Ｐ１，Ｐ２，Ｐ３，Ｐ４，Ｐ５，Ｐ６と同方向に並ぶように配置されることは勿論である。
【００７０】
上記実施形態において、第一エッジＥ１の延びる方向を第二方向とし、他方の第一エッジＥ１を境界とする端部に複数の位置決部２００…が設けられたが、これに限定されない。例えば、第二エッジＥ２の延びる方向を第二方向とし、一対の第二エッジＥ２のうちの少なくとも何れか一方を境界とする端部に複数の位置決部２００…が設けられてもよい。この場合、各位置決部２００…と対応する組（対）の視差画像Ｐ１，Ｐ２，Ｐ３，Ｐ４，Ｐ５，Ｐ６の並ぶ方向と、立体画像観賞具３における一対の覗き部３００，３００の並ぶ方向とを考慮し、第二部位３１の第一内周エッジＩＥ１又は第二内周エッジＩＥ２の何れかに対応して被位置決部３３を配置すればよい。また、他方の第一エッジＥ１を境界とする端部に複数の位置決部２００…が設けられるとともに、一対の第二エッジＥ２のうちの少なくとも何れか一方を境界とする端部に複数の位置決部２００…が設けられてもよい。この場合、各位置決部２００…と対応する組（対）の視差画像Ｐ１，Ｐ２，Ｐ３，Ｐ４，Ｐ５，Ｐ６の並ぶ方向と、立体画像観賞具３の一対の覗き部３００，３００の並ぶ方向とを考慮し、第二部位３１の第一内周エッジＩＥ１及び第二内周エッジＩＥ２の少なくとも何れか一方に対応して被位置決部３３を配置すればよい。
【００７１】
上記実施形態において、被位置決部３３が第二部位３１の第二内周エッジＩＥ２から突出する（第二部位３１と重ならない）ように配置されたが、これに限定されない。被位置決部３３は、第二部位３１と重なるように配置されてもよい。
【００７２】
上記実施形態において、位置決部２００…及び被位置決部３３が互いに対応するように平面視三角形状に形成されたが、これに限定されない。位置決部２００…及び被位置決部３３が互いに対応する形状であれば、適宜変更してもよい。すなわち、位置決部２００…及び被位置決部３３は、互いに嵌合（係合）可能な状態になることを前提に、平面形状を四角等の多角形状にしてもよいし、平面形状を半円弧状、或いは半楕円状にしてもよい。
【００７３】
但し、位置決部２００…と被位置決部３３との嵌合状態を安定化させるには、上記実施形態と同様に、位置決部２００…及び被位置決部３３の平面形状を画定する外縁が互いに密接可能な一対の傾斜エッジＥ１ａ，Ｅ１ａ，Ｅ２ａ，Ｅ２ａを有することが好ましい。この場合において、製造誤差等の影響で位置決部２００…と被位置決部３３とが突き合わせ状態になる（傾斜エッジＥ１ａ，Ｅ２ａ同士が密接する前に凸部の先端が凹部の底と干渉した状態になる）のを防止するために、凹部の最も奥になる部分に凸部の先端が進入する切欠き部を設けたり、凸部の先端を切り欠いた状態にしたり（平面視台形状にしたり）してもよい。
【００７４】
上記実施形態において、立体画像観賞具３が一対の第三部位３２，３２を備えたが、これに限定されない。第一部位３０と第二部位３１との間隔が維持されれば、第三部位３２は一つでもよい。
【００７５】
上記実施形態において、第二部位３１が枠状に形成されたが、これに限定されない。第二部位３１は、台紙２０上（第一面Ｓ１又は第二面Ｓ２）に重なる面を有していればよく、平面形状については適宜変更を加えてもよい。但し、周辺の画像が視界に入ることを防止するには、一対の視差画像Ｐ１，Ｐ２，Ｐ３，Ｐ４，Ｐ５，Ｐ６を包囲可能な枠状に形成することが好ましい。
【００７６】
上記実施形態において、立体画像観賞具３が紙材から作製されたが、これに限定されない。立体画像観賞具３（第一部位３０、第二部位３１、第三部位３２）は、樹脂成型品であってもよい。
【００７７】
上記実施形態において、第三部位３２が第一部位３０の短手方向の端部と第二部位３１の短手方向の端部とを接続したが、これに限定されない。例えば、第三部位３２は、第三部位３２が第一部位３０の長手方向の端部と第二部位３１の長手方向の端部とを接続してもよい。立体画像観賞具３は、第一部位３０の短手方向の端部と第二部位３１の短手方向の端部とを接続する第三部位３２と、第一部位３０の長手方向の端部と第二部位３１の長手方向の端部とを接続する第三部位３２とを備えてもよい。この場合、何れかの第三部位３２に明かり取り用の開口部を設けることが好ましい。
【符号の説明】
【００７８】
１…見本提示具、２…見本帳、３…立体画像観賞具、２０…台紙、２１…表紙体、３０…第一部位、３１…第二部位、３２…第三部位、３３…被位置決部、３４…糊代、２００…位置決部、３００…覗き部、Ｅ１…第一エッジ、Ｅ１ａ…傾斜エッジ、Ｅ２…第二エッジ、Ｅ２ａ…傾斜エッジ、ＩＥ１…第一内周エッジ、ＩＥ２…第二内周エッジ、Ｐ…見本画像、Ｐ１，Ｐ２，Ｐ３，Ｐ４，Ｐ５，Ｐ６視差画像、Ｓ１…第一面、Ｓ２…第二面、Ｓａ１…第一面、Ｓａ２…第二面
【図１】
2018205488.tif 000003
【図２】
2018205488.tif 000004
【図３】
2018205488.tif 000005
【図４】
2018205488.tif 000006
【図５】
2018205488.tif 000007
【図６】
2018205488.tif 000008
【図７】
2018205488.tif 000009
【図８】
2018205488.tif 000010
【図９】
2018205488.tif 000011
【図１０】
2018205488.tif 000012
【図１１】
2018205488.tif 000013